(57)【要約】【課題】アークホーンを簡素化させた気中開閉器を提供することにある。【解決手段】先端部が幅方向の所定側に傾斜された可動接触子４と、可動接触子を投入させた際に可動接触子の幅方向の両平坦面と接触させるように先端部を可動接触子側に折り曲げられて折曲部２a1，２b1及び接触部２a2，２b2を有して形成された固定接触子２と、可動接触子が固定接触子から離れる際に発生したアークが移行するアークホーン５と、アークホーンと可動接触子の間で持続するアークを消弧する消弧室と、消弧室の外部に設けられた磁性体とを備えた気中開閉器を対象とし、アークホーン５は耐弧メタル５ａと、耐弧メタルを着脱自在にさせる取付部材５ｂとからなり、耐弧メタルは固定接触子の幅方向平坦面と垂直方向でアークが移動する側に配置され、かつ、折曲部２a1，２b1の先端位置よりも可動接触子が離れる側に平行に近接配置される。【選択図】図１
2009087668.tif 000002
【特許請求の範囲】
【請求項１】
帯板からなり、先端部が幅方向の所定側に傾斜された可動接触子と、
帯板からなり、前記可動接触子を投入させた際に、可動接触子の幅方向の両平坦面と接触させるように先端部を可動接触子側にそれぞれ折り曲げられて２つの折曲部及び２つの接触部を有してコ字状に形成された固定接触子と、
前記可動接触子が固定接触子から離れる際に発生したアークが移行するアークホーンと、
前記アークホーンと可動接触子の間で持続するアークを可動接触子の長手方向に形成された細隙部に導いて消弧する消弧室と、
前記細隙部を囲むように消弧室の外部に設けられたコ字状の磁性体とを備えた気中開閉器において、
前記アークホーンは棒状の耐弧メタルと、耐弧メタルを固定接触子と導通させると共に着脱自在にさせる取付部材とからなり、
前記耐弧メタルは固定接触子の幅方向平坦面と垂直方向でアークが移動する側に配置され、かつ、２つの折曲部の先端位置よりも可動接触子が離れる側に平行に近接配置された気中開閉器。
【発明の詳細な説明】
【技術分野】
【０００１】
本発明は、アークホーンと、消弧室と、消弧室の外部に設けられた磁性体とを備えた気中開閉器に関するものである。
【背景技術】
【０００２】
従来、帯板からなる可動接触子と、一対の帯板からなる固定接触子とを備えた気中開閉器においては、可動接触子が固定接触子から離れると、可動接触子と固定接触子間でアークが発生する。このアークは固定接触子の周囲に設けられたアークホーンに移行し、このアークホーンと可動接触子の間でアークが持続する。このアークは、可動接触子が固定接触子から更に離れると、それに伴いアークが延びると共に消弧室の細隙部に導かれ、アークが触れることにより消弧室から発生する消弧性ガスによりアークが消弧される。
【０００３】
ところで、上記可動接触子の先端形状が、この接触子が固定接触子から開離する場合にアークが発生する時点において可動接触子の先端部と固定接触子とが平行になって、アークのスポットが固定されず、可動接触子の先端部全長に亘って発生していた。したがって、消弧性能を低下させないためには、消弧室の細隙部を可動接触子の通過経路の全長に亘って設ける必要があり、消弧室の形状が大きくなるという問題があった。
【０００４】
そこで、上記細隙部を囲むように消弧室の外部にコ字状の磁性体を設けることにより、上記発生したアークの周りに磁束が生じ、この磁束による電磁力でアークを可動接触子の幅方向の所定側へ移動させるようにしている。さらに、可動接触子の先端部を幅方向の所定側に傾斜させることにより、アークを可動接触子の幅方向の所定側へ集中させるようにしている。このような気中開閉器は、例えば、特許文献１に示されている。
【０００５】
図２（Ａ）は、遮断電流が大きい場合の、従来の気中開閉器の要部を示す概略構成図、（Ｂ）は（Ａ）のＡ−Ａ線断面矢視図であり、消弧室及び磁性体を省略して示している。図示するように、開閉器ケース（図示せず）内に取り付けられた支持碍子１０の基端部には、固定接触子２０が取り付けられる共に、固定接触子２０と電源側ブッシングの貫通導体（図示せず）とが接続される接続導体（図示せず）を接続させる接続金具３０がボルトにより取り付けられている。固定接触子２０は一対の帯板からなり、帯板からなる可動接触子４０を固定接触子２０に投入させた際に、可動接触子４０の幅方向の両平坦面と接触させるように、先端部を可動接触子４０側にそれぞれ折り曲げられて２つの折曲部２０a1，２０b1及び２つの接触部２０a2，２０b2を有してコ字状に形成されている。
【０００６】
固定接触子２０の外側には、この固定接触子２０を囲むと共に、先端に形成した開口部５０ａが上記２つの折曲部２０a1，２０b1に近接配置されるように、アークホーン５０が設けられている。アークホーン５０は、遮断電流が大きい場合、一対の帯板からなる取付板５０a1，５０b1の長手方向の一端（先端）に、この取付板５０a1，５０b1の幅方向に亘って、例えばステンレス材、Ｃｕ−Ｗ材等からなる耐弧メタル５０a2，５０b2がそれぞれロー付けされて構成されており、この耐弧メタル５０a2，５０b2を上記２つの折曲部２０a1，２０b1にそれぞれ近接配置させ、取付板５０a1，５０b1の他端を固定接触子２０と共に接続金具３０にネジ６０によりそれぞれ取り付けている。
【０００７】
固定接触子２０と取付板５０a1，５０b1との間には、一対の帯板からなる接圧バネ７０が設けられ、この接圧バネが取付板５０a1，５０b1及び固定接触子２０と共に接続金具３０にネジ６０によりそれぞれ取り付けられており、可動接触子４０が投入状態になると、可動接触子４０を接触部２０a1，２０b1が挟持して接圧を保つようになっている。
【特許文献１】特開２０００−１７３４１２号公報
【発明の開示】
【発明が解決しようとする課題】
【０００８】
従来のアークホーンは固定接触子を囲むように設けられるために、一対（２個）とするか、または、長尺形状にする必要がある。また、電流容量により固定接触子を大型化する場合、アークホーンも大型化するためコストも高くなる。さらに、アークホーンは取付板にロー付け固定しているため、特殊作業となりコストが高くなる。
【０００９】
本発明の目的は、アークホーンを簡素化させた気中開閉器を提供することにある。
【課題を解決するための手段】
【００１０】
第１の発明は、帯板からなり、先端部が幅方向の所定側に傾斜された可動接触子と、帯板からなり、可動接触子を投入させた際に、可動接触子の幅方向の両平坦面と接触させるように先端部を可動接触子側にそれぞれ折り曲げられて２つの折曲部及び２つの接触部を有してコ字状に形成された固定接触子と、可動接触子が固定接触子から離れる際に発生したアークが移行するアークホーンと、アークホーンと可動接触子の間で持続するアークを可動接触子の長手方向に形成された細隙部に導いて消弧する消弧室と、細隙部を囲むように消弧室の外部に設けられたコ字状の磁性体とを備えた気中開閉器を対象とし、アークホーンは棒状の耐弧メタルと、耐弧メタルを固定接触子と導通させると共に着脱自在にさせる取付部材とからなり、耐弧メタルは固定接触子の幅方向平坦面と垂直方向でアークが移動する側に配置され、かつ、２つの折曲部の先端位置よりも可動接触子が離れる側に平行に近接配置されるようにしたものである。
【発明の効果】
【００１１】
以上のように、第１の発明によれば、アークホーンを構成する耐弧メタルが１つになるので、コスト低減が図れる。また、耐弧メタルの取り付けがネジ固定構造になるので、ロー付けがなくなり、コスト低減が図れる。
【発明を実施するための最良の形態】
【００１２】
図１（Ａ）は、本発明に係る気中開閉器の一実施形態の要部を示す概略構成図、（Ｂ）は（Ａ）のＡ−Ａ線断面矢視図であり、消弧室及び磁性体を省略して示している。図示するように、閉器ケース（図示せず）内に取り付けられた支持碍子１の基端部には、２つのボルト貫通孔が形成された固定接触子２がボルト６により取り付けられており、固定接触子２は一対の帯板２ａ，２ｂからなり、帯板からなる可動接触子４を固定接触子２に投入させた際に、可動接触子４の幅方向の両平坦面と接触させるように、先端部を可動接触子４側にそれぞれ折り曲げられて２つの折曲部２a1，２b1及び２つの接触部２a2，２b2を有してコ字状に形成されている。
【００１３】
固定接触子２の近傍には、アークホーン５が設けられている。アークホーン５は、例えば、ステンレス材、Ｃｕ−Ｗ材等からなる棒板状の耐弧メタル５ａと、耐弧メタル５ａを固定接触子２と導通させると共に着脱自在にさせる取付部材５ｂとからなる。取付部材５ｂは、基部５b1と、基部５b1の両端からそれぞれ起立した起立部５b2とからなり、起立部５b2の端部にはそれぞれネジ貫通孔が形成された耐弧メタル取付座５ｂ22が設けられており、支持碍子１の基端部と固定接触子２との間の基端部側に配置され、基部５b1に形成された２つのボルト貫通孔にボルト６を挿通させて取り付けられている。耐弧メタル取付座５ｂ22には、これに形成されたネジ貫通孔に対応させて２つのタップ穴が形成されている耐弧メタル５ａがネジ８を螺合させて取り付けられている。耐弧メタル５ａは、固定接触子２の幅方向平坦面と垂直方向でアークが移動する側に配置され、かつ、２つの折曲部２a1，２b1の先端位置よりも可動接触子４が離れる側に平行に近接配置されている。
【００１４】
固定接触子２には、電源側ブッシングの貫通導体（図示せず）と接続させる接続導体９が、支持碍子１の基端部と固定接触子２との間に配置されて固定接触子２に接した状態でボルト６により締め付けられて取り付けられている。
【００１５】
固定接触子２とアークホーン５の取付部材５ｂとの間には、コ字状に形成された帯板からなる接圧バネ７が設けられ、この接圧バネ７の基部が取付部材５ｂと接続導体９との間のに配置され、この基部に形成された２つのボルト貫通孔にボルト６を挿通させて取り付けられており、可動接触子４が投入状態になると、可動接触子４を接触部２a1，３b1が挟持して接圧を保つようになっている。
【図面の簡単な説明】
【００１６】
【図１】（Ａ）は、本発明に係る気中開閉器の一実施形態の要部を示す概略構成図、（Ｂ）は（Ａ）のＡ−Ａ線断面矢視図である。
【図２】（Ａ）は、従来の気中開閉器の要部を示す概略構成図、（Ｂ）は（Ａ）のＡ−Ａ線断面矢視図である。
【符号の説明】
【００１７】
２  固定接触子
２a1，２b1  折曲部
２a2，２b2  接触部
５  アークホーン
５ａ  耐弧メタル
５ｂ  取付部材
【図１】
2009087668.tif 000003
【図２】
2009087668.tif 000004